(57)【特許請求の範囲】
【請求項１】
本体と、前記本体の一端部と他端部とを連結して本体を環状とする連結具とを有し、前記環状にした本体を袈裟懸けにして、且つ本体に乳幼児を保持させて使用することを特徴とする乳幼児用抱っこ具において、前記本体の両側部にはクッション部材が備えられており、前記クッション部材は着脱自在でしかも長手方向の装着位置を変更することができることを特徴とする乳幼児用抱っこ具。
【請求項２】
請求の範囲第１項に記載した乳幼児用抱っこ具において、クッション部材は本体の幅方向の両端部分を折り合わせ縫い合わせて形成された折り合わせ部の内部に入れられており、前記折り合わせ部の内部に連通する挿入穴を形成して、この挿入穴からクッション部材を出し入れすることにより本体に対し着脱することを特徴とする乳幼児用抱っこ具。
【請求項３】
請求の範囲第２項に記載した乳幼児用抱っこ具において、クッション部材の先端部には輪状の紐が取り付けられており、本体の折り合わせ部には前記紐を引き出す紐挿通穴が形成されていることを特徴とする乳幼児用抱っこ具。
【請求項４】
請求の範囲第３項に記載した乳幼児用抱っこ具において、紐挿通穴は複数形成されており、紐を通す紐挿通穴を変更することによりクッション部材の装着位置を調節することができることを特徴とする乳幼児用抱っこ具。
【請求項５】
請求の範囲第１項に記載した乳幼児用抱っこ具において、クッション部材は本体の幅方向の両端部分を折り合わせ縫い合わせて形成された折り合わせ部の内部に入れられており、前記折り合わせ部の一部には、折り合わせ部の内部を露出できる開閉部が形成され、前記開閉部を開いてクッション部材を本体に対し着脱することを特徴とする乳幼児用抱っこ具。
【請求項６】
請求の範囲第１項から第５項のいずれかに記載した乳幼児用抱っこ具において、クッション部材は本体を肩に掛けたときに肩に当たる肩当たり部にも備えられており、前記クッション部材は着脱自在であることを特徴とする乳幼児用抱っこ具。
【請求項７】
請求の範囲第６項に記載した乳幼児用抱っこ具において、肩当たり部に設けられたクッション部材は、本体とは別個の部材である帯状体に固定され、前記帯状体には、帯状体を本体に装着するための装着手段を具備したことを特徴とする乳幼児用抱っこ具。
【請求項８】
請求の範囲第６項または第７項に記載した乳幼児用抱っこ具において、本体を環状にして袈裟懸けにしたときに肩の辺りに位置する部分の両側を内側に向かって折り込み、且つ折り込んだ部分が開かないように固定したことを特徴とする乳幼児用抱っこ具。
【請求項９】
請求の範囲第１項から第８項のいずれかに記載した乳幼児用抱っこ具において、連結具には人名、生年月日等の表示がされていることを特徴とする乳幼児用抱っこ具。
【発明の詳細な説明】
【技術分野】
【０００１】
本発明は母親等が乳幼児を抱く際に使用される乳幼児用抱っこ具に係り、特に母親等が装着するのが容易な乳幼児用抱っこ具に関するものである。
【背景技術】
【０００２】
特許文献１に記載された抱っこ具は、基本的な構成部材として支持本体、４本の帯、それぞれ４つの雄バックルと雌バックルを有している。
【０００３】
【特許文献１】
特開２００３−１０２５９８公報
【発明の開示】
【発明が解決しようとする課題】
【０００４】
しかしながら、上記抱っこ具を母親等が装着する場合は、雄バックルと雌バックルとをいちいち嵌合させなければならず煩雑であり、さらに抱っこ具を外す場合にも雄バックルと雌バックルとの嵌合をいちいち解除しなければならない。また、乳幼児には、ホールドベルトを巻きやはり雄バックルと雌バックルとを嵌合させて、しかもホールドベルトの長さを調節する必要があり、これもかなり面倒である。
【０００５】
また、従来の抱っこ具の帯は細いバンド状の部材によって構成されているため、帯が肩に食い込んでしまい肩こりの原因になるおそれがある。特に乳幼児が重かったり、抱っこ具を長時間使用する場合には、肩が痛くなってしまうおそれがある。そこで帯を幅広にすることも考えられるが、抱っこ具が嵩張ったものになり携帯に不便なものになってしまう。
【０００６】
さらに、抱っこ具は子供が誕生したときの祝いの贈り物とすることも多く、従って、抱っこ具に子供の名前や生年月日を入れたいとの要望もかなりある。しかしながら、従来の抱っこ具では支持本体以外に子供の名前等を入れる適当な部分がなく、抱っこ具そのものを廃棄すると記念として何も残らなくなってしまう。
本発明は上記従来の問題点に着目して為されたものであり、母親等が体に装着したり、体から外したりするのに、複数の雄バックルと雌バックルをいちいち着脱する必要がなく、また長時間使用しても肩こりや肩が痛くなったりすることがなくて、且つコンパクトに畳むことが可能で、さらに本体が劣化して廃棄することになっても記念品として半永久的に残る部材を備えた抱っこ具を提供することを目的とする。
【課題を解決するための手段】
【０００７】
本発明は上記課題を解決するためになされたものであり、請求の範囲第１項の発明は、本体と、前記本体の一端部と他端部とを連結して本体を環状とする連結具とを有し、前記環状にした本体を袈裟懸けにして、且つ本体に乳幼児を保持させて使用することを特徴とする乳幼児用抱っこ具において、前記本体の両側部にはクッション部材が備えられており、前記クッション部材は着脱自在でしかも長手方向の装着位置を変更することができることを特徴とする乳幼児用抱っこ具である。
【０００８】
請求の範囲第２項の発明は、請求の範囲第１項に記載した乳幼児用抱っこ具において、クッション部材は本体の幅方向の両端部分を折り合わせ縫い合わせて形成された折り合わせ部の内部に入れられており、前記折り合わせ部の内部に連通する挿入穴を形成して、この挿入穴からクッション部材を出し入れすることにより本体に対し着脱することを特徴とする乳幼児用抱っこ具である。
【０００９】
請求の範囲第３項の発明は、請求の範囲第２項に記載した乳幼児用抱っこ具において、クッション部材の先端部には輪状の紐が取り付けられており、本体の折り合わせ部には前記紐を引き出す紐挿通穴が形成されていることを特徴とする乳幼児用抱っこ具である。
【００１０】
請求の範囲第４項の発明は、請求の範囲第３項に記載した乳幼児用抱っこ具において、紐挿通穴は複数形成されており、紐を通す紐挿通穴を変更することによりクッション部材の装着位置を調節することができることを特徴とする乳幼児用抱っこ具である。
【００１１】
請求の範囲第５項の発明は、請求の範囲第１項に記載した乳幼児用抱っこ具において、クッション部材は本体の幅方向の両端部分を折り合わせ縫い合わせて形成された折り合わせ部の内部に入れられており、前記折り合わせ部の一部には、折り合わせ部の内部を露出できる開閉部が形成され、前記開閉部を開いてクッション部材を本体に対し着脱することを特徴とする乳幼児用抱っこ具である。
【００１２】
請求の範囲第６項の発明は、請求の範囲第１項から第５項のいずれかに記載した乳幼児用抱っこ具において、クッション部材は本体を肩に掛けたときに肩に当たる肩当たり部にも備えられており、前記クッション部材は着脱自在であることを特徴とする乳幼児用抱っこ具である。
［００１３］
請求の範囲第７項の発明は、請求の範囲第６項に記載した乳幼児用抱っこ具において、肩当たり部に設けられたクッション部材は、本体とは別個の部材である帯状体に固定され、前記帯状体には、帯状体を本体に装着するための装着手段を具備したことを特徴とする乳幼児用抱っこ具である。
【００１４】
請求の範囲第８項の発明は、請求の範囲第６項または第７項に記載した乳幼児用抱っこ具において、本体を環状にして袈裟懸けにしたときに肩の辺りに位置する部分の両側を内側に向かって折り込み、且つ折り込んだ部分が開かないように固定したことを特徴とする乳幼児用抱っこ具である。
【００１５】
請求の範囲第９項の発明は、請求の範囲第１項から第８項のいずれかに記載した乳幼児用抱っこ具において、連結具には人名、生年月日等の表示がされていることを特徴とする乳幼児用抱っこ具である。
【発明の効果】
［００１７］
本発明の抱っこ具によれば、従来の抱っこ具のように体から着脱する際に、複数の雄バックルと雌バックルとを嵌合したり、嵌合を解除したりする操作を行う必要がなく、環状にした本体を首から通して袈裟懸けにするだけで容易に母親等が体に装着することができ、また体から外す場合も腕を環状にした本体から抜いて、次いで首から抜くだけなので、体からの着脱を極めて容易に行うことができる。
また肩に当たる部分にクッション部材が設けられているので、長時間使用しても肩こりや肩が痛くなったりすることがない。
さらに、クッション部材が本体に対し着脱自在なので、コンパクトに畳むことが可能で携帯に便利である。
また、リング状部材に人名、生年月日、模様等の表示がされているので、本体が劣化して廃棄することになっても記念の品として永く残すことができる。
【図面の簡単な説明】
【００１８】
【図１】本発明の実施の形態１に係る抱っこ具を使用方法を説明するための図である。
【図２】本発明の実施の形態１に係る抱っこ具の正面図である。
【図３】図２の一端部分の左側面図である。
【図４】図３のＡ−Ａ断面斜視図である。
【図５】図３のＡ−Ａ断面図である。
【図６】本発明の実施の形態２に係る抱っこ具のクッション帯の斜視図である。
【図７】図６のクッション帯の本体に対する取付部位を説明するための図である。
【図８】本発明の実施の形態３に係る抱っこ具の正面図である。
【図９】図８の部分拡大図である。
【図１０】本発明の実施の形態４に係る抱っこ具の開閉部を開いた状態の正面図である。
【図１１】本発明の実施の形態４に係る抱っこ具の開閉部を閉じた状態の正面図である。
【図１２】本発明の実施の形態５に係る抱っこ具のリング状部材の正面図である。
【図１３】本発明の実施の形態５に係る抱っこ具の部分正面図である。
【符号の説明】
【００１９】
１、３１、６１、８１  抱っこ具                    ３  本体
５、７、９  クッション部材    １１、１３、５１、５３  リング状部材
１５  折り込み部          １７  折り線          １９  前側部          ２１  糸
２３  表面部              ２５  開口            ３３  クッション帯    ３５  帯状体
３７  クッション部材      ３９  面ファスナーの雄側部                  ４０  面ファスナーの雌側部
４１、６３、８３  本体    ６５  クッション部材                        ６６  紐
６７  挿入穴              ６４  折り合わせ部    ６９  折り合わせ部の内部
７１、７３、７５  紐挿通穴                      ８５  開閉部
８７  面ファスナーの雄側                        ８９  面ファスナーの雌側
【発明を実施するための最良の形態】
【００２０】
本発明の実施の形態１に係る抱っこ具１を図１から図５にしたがって説明する。
符号３は布製の本体を示し、この本体３は開くと長方形である。本体３の幅方向の両端部分を折り合わせ、この折り合わせ部分の端部を縫い合わせて折り合わせ部６４が形成されている。本体３の幅方向の両端部分に形成された折り合わせ部６４の内部６９の長手方向のほぼ中央にクッション部材５が収容され、且つ本体３に縫い付けられている。また本体３の一端部分は幅方向に更に折り合わされており、この折り合わせ部分にクッション部材７が収容され、且つ本体３に縫い付けられている。
【００２１】
また、本体３の一端部分は長手方向にも折り合わされており、この折り合わせ部分にクッション部材９が収容され、且つ本体３に縫い付けられている（図４参照）。
上記本体３の一端部が折り合わされた部分の折り返し部には連結具としての２つのリング状部材１１、１３が通されており、前記折り合わされた部分を縫い付けることによりリング状部材１１、１３が本体３に取り付けられている。
本体３の他端部は僅かな寸法だけ折り返されて縫い付けられて、解れが生じないようになっている。
【００２２】
図３〜図５に示すように、本体３の一端部の両側は内側へ向かって折り込まれており、折り込み部１５が形成されている。この折り込み部１５の折り線１７を境にして乳幼児が収容される側（以下、前側という。）の前側部１９は、糸２１によって最も前側にくる表面部２３に縫い付けられている。
【００２３】
次に、この抱っこ具１の使用方法について説明する。
本体３の他端部をリング状部材１１、１３に通した後、他端部を折り返してリング状部材１１に挿入する。これにより本体３を環状にして、図１に示すように母親Ｍ等が首から通して抱っこ具１を袈裟懸けにて体に装着し、図２に示す開口２５に乳幼児Ｂを収容する。
また、腕を環状にした本体３から抜き、次いで首から抜くだけで、抱っこ具１を体から外すことができる。
このように抱っこ具１は極めて容易に着脱することができる。
【００２４】
上記のようにして、抱っこ具１を使用する際に本体３の一端部に設けた折り込み部１５は肩の辺りに位置するが、本体３を袈裟懸けにしたときに図１、図４及び図５において一点鎖線で示すように開いてしまうのを防止することができる。折り込み部１５が開くと、図１においてリング状部材１３の上側の部位に左右方向へはみ出して見た目が悪く、だらしのない印象を与えてしまう。そこで、本発明の抱っこ具１では上記のように折り込み部１５の前側部１９を糸２１によって縫い付けることにより、折り込み部１５が開くのを防止している。
【００２５】
本発明の実施の形態２に係る抱っこ具３１を図６、図７にしたがって説明する。
抱っこ具３１は実施の形態１に係る抱っこ具１と同様の構成部分を有するので、その相違点についてのみ説明し、同様の構成部分については実施の形態１で使用した符号を付し、或いは引用して説明を省略する。
抱っこ具３１はクッション部材７、９を有しておらず、その代わりに図６に示す着脱式のクッション帯３３を有している。クッション帯３３は帯状体３５と、この帯状体３５の中央に固定されたクッション部材３７及び装着手段としての面ファスナーとによって構成されている。面ファスナーの雄側部３９は帯状体３５の表面の一端部に固定され、面ファスナーの雌側部４０は裏面の一端部に固定されている。
【００２６】
この抱っこ具３１では、クッション帯３３を本体４１に対し必要に応じて着脱する。即ち、抱っこ具３１をバック等に入れて携帯する場合にはクッション帯３３を外す。抱っこ具３１は布によって構成されているので、クッション部材を有していないと極めてコンパクトに畳むことができ嵩張ることがない。
クッション部材３３は必要な場合にのみ携帯する。例えば抱っこ具３１の使用時間が短いと予想される場合や乳幼児が軽い場合には、クッション帯３３を本体４１に装着せず、また携帯しない。
【００２７】
クッション帯３３を本体４１に装着する方法は、図７に示すようにクッション部材３７が本体４１の表面部２３側に位置するように、本体４１に対し帯状体３５を巻き付ける。そして、面ファスナーの雄側部３９と雌側部４０とを合わせて連結し、クッション帯３３を本体４１に固定する。クッション部材３７は本体４１を袈裟懸けにしたときに肩に当たる肩当たり部に位置して、クッション部材３７が肩に当接して圧力を和らげる。
【００２８】
本発明の実施の形態３に係る抱っこ具６１を図８、図９にしたがって説明する。
本実施の形態に係る抱っこ具６１は、本体６３の両側部に備えられるクッション部材６５が着脱自在である点を除き実施の形態１に係る抱っこ具１と同様の構成部分を有するので、その相違点についてのみ説明し、同様の構成部分については実施の形態１、２で使用した符号を付し、或いは引用して説明を省略する。このことは後に説明する本発明の実施の形態４に係る抱っこ具８１についても適用する。
【００２９】
クッション部材６５は比較的短い棒状で、先端部に輪状の紐６６が取り付けられている。本体６３の幅方向の両端部分を折り合わせ、この折り合わせ部分の端部を縫い合わせて折り合わせ部６４が形成されている。本体６３の両端部分に形成された折り合わせ部６４の裏面に挿入穴６７が形成されている。この挿入穴６７はボタン穴のように縁が縢られている。挿入穴６７は折り合わせ部６４の内部６９に連通している。そして、また本体６３の折り合わせた部分には紐挿通穴７１、７３、７５が設けられている。これら紐挿通穴７１、７３、７５は本体６３の長手方向に所定の間隔をおいて配置されている。
【００３０】
この抱っこ具６１では、クッション部材６５を本体６３に対し必要に応じて着脱する。即ち、抱っこ具６１をバック等に入れて携帯する場合にはクッション部材６５を外す。抱っこ具６１は布によって構成されているので、クッション部材６５を有していないと極めてコンパクトに畳むことができ嵩張ることがない。
また、例えば乳幼児がある程度の年齢に達して、クッション部材６５が必要ない場合には外しておく。
【００３１】
クッション部材６５を本体６３に装着する方法について説明する。
ゴム紐等を衣服のゴム紐収容部に通すのに用いる所謂ゴム通し具Ｇを紐６６に引っかけて、ゴム通し具Ｇを挿入穴６７から折り合わせ部６４の内部６９へ入れる。そして、ゴム通し具Ｇを外部から操作して、紐６６、クッション部材６５を内部６９へ入れ、紐６６を介してクッション部材６５を引っ張るようにして折り合わせ部６４の内部６９を進行させる。次いで、ゴム通し具Ｇを紐挿通穴７１から出し、さらに紐６６を引き出してからゴム通し具Ｇを外す。紐６６を紐挿通穴７１から引き出すと、クッション部材６５はそれ以上進行しない状態に固定される。
【００３２】
図８において一転鎖線で示すように、紐６６を通す紐挿通穴７１、７３、７５を変更することによってクッション部材６５の装着位置を調節することができる。
上記したように抱っこ具６１ではクッション部材６５を外すことができるので、抱っこ具６１を実施の形態１において説明したように、本体６３の他端部を一端部に取り付けられたリング状部材１１、１３に通して、本体６３を環状にした場合のサイズを自由に変更することができる。即ち、実施の形態１に係る抱っこ具１のようにクッション部材５を本体３から外すことができない場合には、環状にした本体３の環を小さくできる範囲は、クッション部材５がリング状部材１１、１３に到達する前までであり、それ以上は本体３の環を小さく絞ることはできない。これに対し、抱っこ具６１ではクッション部材６５を外すことができるので、本体６３の環のサイズを自由に絞ることが可能である。
また、上記したように抱っこ具６１は、クッション部材６５の本体６３の長手方向の装着位置を変更することができるので、クッション部材６５を本体６３に装着したままでも所定の範囲で、環状にした本体６３の環の大きさを調節することができる。
【００３３】
クッション部材６５を本体６３から外す場合は、挿入穴６７から指を入れて、クッション部材６５を折り合わせ部６４の内部６９から引っ張りだせばよい。このときに、本体３の外側からクッション部材６５を押し出すようにしてやれば、簡単に引っ張りだすことができる。
【００３４】
本発明の実施の形態４に係る抱っこ具８１を図１０、図１１にしたがって説明する。
本実施の形態に係る抱っこ具８１は、図１０に示すように本体８３の幅方向の両端部に形成された折り合わせ部６４の一部に開閉部８５がそれぞれ設けられている。従って、折り合わせ部６４の一部が開放でき、内部６９を露出させることができるようになっている。
開閉部８５の縁部分には面ファスナーの雄側部８７が固定され、開閉部８５を閉じたときに面ファスナーの雄側部８７が対応する本体８３の部分には面ファスナーの雌側部８９が固定されている。
【００３５】
この抱っこ具８１では図１０に示すように開閉部８５を開いて、クッション部材６５を所望の位置に置く。そして、開閉部８５を閉じて、面ファスナーの雄側部８７と雌側部８９とを連結して、開閉部８５を閉じた状態に固定し、クッション部材６５を折り合わせ部６４の内部６９に収容する。従って、抱っこ具８１はクッション部材６５を所望の位置に、簡単に備えることができる。
また、クッション部材６５を使用しない場合には開閉部８５を開いて、クッション部材６５を除き、開閉部８５を閉じて、面ファスナーの雄側部８７と雌側部８９とを連結し、開閉部８５を閉じた状態に固定する。従って、抱っこ具８１はクッション部材６５を簡単に本体８３に対し着脱することができる。
【００３６】
本発明の実施の形態５に係る抱っこ具を図１２、図１３にしたがって説明する。
本実施の形態に係る抱っこ具は、リング状部材５１、５３を除き実施の形態１、２、３及び４の本体３、４１、６３及び８３のいずれにも適用されるので、リング状部材５１、５３についてのみ説明し、同様の構成部分については実施の形態１、２及び３で使用した符号を付し、或いは引用して説明を省略する。
【００３７】
リング状部材５１、５３には人名５５、生年月日５６、模様５７が記されている。この人名５５は抱っこ具を贈る相手側に誕生した子供の名前であり、生年月日５７はその子供のものである。また、模様５７は好みや贈る相手側の誕生した子供の性別等によって変更する。さらに、リング状部材５１、５３は、好みに応じて着色されたものを用いる。
また、本実施の形態では、２つのリング状部材５１、５３の両方を模様５７等を施したものにしたが、いずれか一方でもよい。
【００３８】
この抱っこ具は、本体以外に子供の名前等を入れたリング状部材５１、５３を備えており、またリング状部材５１、５３はナイロン等のプラスチックによって構成されているので相当に長期間に渡り劣化することはない。従って、抱っこ具そのものを廃棄しても、リング状部材５１、５３を外して記念の品として永く残しておくことができる。
【００３９】
以上、本発明の実施の形態について詳述してきたが、具体的構成は、この実施の形態に限られるものではなく、本発明の要旨を逸脱しない範囲における設計の変更などがあっても発明に含まれる。
例えば、実施の形態２では本体の肩当たり部に備えるクッション部材３７を着脱自在とし、実施の形態３では本体の両側部に備えるクッション部材６５を着脱自在としたが、１つの抱っこ具において肩当たり部に備えるクッション部材と本体の両側部に備えるクッション部材の両方を着脱自在とする構成としてもよい。このような構成の抱っこ具では、本体をクッション部材が備えられていない状態とすることが可能なので、極めてコンパクトに畳むことが可能となる。
また、実施の形態５において、リング状部材５１、５３に表示するものは、子供の名前等に限定されず、祝いの言葉等であってもよい。
実施の形態２において、帯状体３５の両端部どうしを連結する装着手段として面ファスナーを用いたが、本発明はこれに限定されず、ボタンとボタン穴、ファスナー、その他のものよって装着手段を構成してもよい。
実施の形態４において、開閉部８５を閉じた状態に固定するのに面ファスナーを用いたが、本発明はこれに限定されず、ボタンとボタン穴、ファスナー、その他のもの用いてもよい。
【図１】
0004884229.tif 000002
【図２】
0004884229.tif 000003
【図３】
0004884229.tif 000004
【図４】
0004884229.tif 000005
【図５】
0004884229.tif 000006
【図６】
0004884229.tif 000007
【図７】
0004884229.tif 000008
【図８】
0004884229.tif 000009
【図９】
0004884229.tif 000010
【図１０】
0004884229.tif 000011
【図１１】
0004884229.tif 000012
【図１２】
0004884229.tif 000013
【図１３】
0004884229.tif 000014